【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
マイクロチップ内に設けられた流路を通流する粒子に、前記流路の第一位置で第一光ビームを照射し、前記流路の第二位置で第二光ビームを照射する光照射部と、
前記第一光ビームを照射することより前記粒子から発する第一の光と前記第二光ビームを照射することより前記粒子から発する第二の光を検出する光検出部と、
前記流路と連通し、アクチュエータ駆動より圧力変化する圧力変化部を有する分取部と、
前記第一の光と前記第二の光の検出時間差に基づく前後の粒子が前記分取部に到達する時間差と、分取モードに基づいて、前記アクチュエータを制御する分取制御部と、
を有する、粒子分取装置。
【請求項２】
前記第二光ビームは、前記第一光ビームと波長が同じである、請求項１に記載の粒子分取装置。
【請求項３】
前記圧力変化部は、前記マイクロチップ内に設けられた、請求項１又は２に記載の粒子分取装置。
【請求項４】
前記アクチュエータは、前記粒子が分取対象であるか否かの判定結果に基づいて、分取対象である前記粒子と分取対象でない前記粒子の回収先を変更する、請求項１から３のいずれか一項に記載の粒子分取装置。
【請求項５】
前記分取部は、前記流路に連通する吸引流路と吸引部により構成される、請求項４に記載の粒子分取装置。
【請求項６】
前記アクチュエータは、前記吸引部の体積を任意のタイミングで拡張可能である、請求項５に記載の粒子分取装置。
【請求項７】
前記変更は、前記吸引部の体積を拡張したことに基づく、請求項５に記載の粒子分取装置。
【請求項８】
前記吸引部の体積を拡張したことより前記吸引部に負圧を生成する、請求項５に記載の粒子分取装置。
【請求項９】
前記分取モードは、ユーザーにより選択可能である、請求項１から８のいずれか一項に記載の粒子分取装置。
【請求項１０】
前記分取モードは、純度を優先した純度優先モード、又は取得率を優先した取得率優先モードのいずれかである、請求項１から９のいずれか一項に記載の粒子分取装置。
【請求項１１】
前記第二光ビームは、前記第一光ビームと波長が異なる、請求項１、及び３から１０のいずれか一項に記載の粒子分取装置。
【請求項１２】
前記第一の光と前記第二の光の検出時間差から、前記粒子が前記分取部に到達する時間を算出する算出部、
を更に有する、請求項１から１１のいずれか一項に記載の粒子分取装置。
【請求項１３】
前記分取制御部は、前記光検出部で検出されたデータと、前記算出部で算出された前記時間に基づいて、前記アクチュエータを制御する、請求項１２に記載の粒子分取装置。
【請求項１４】
前記算出部は、前記検出時間差から、前後の粒子が前記分取部に到達する到達時間差を算出する、請求項１２又は１３に記載の粒子分取装置。
【請求項１５】
前記粒子は、生体関連粒子である、請求項１から１４のいずれか一項に記載の粒子分取装置。
【請求項１６】
前記粒子を含むサンプル液が導入されるサンプル液導入流路と、
シース液が導入される１対のシース液導入流路と、
を更に有する、請求項１から１５のいずれか一項に記載の粒子分取装置。
【請求項１７】
前記光検出部は、ＰＭＴ（Photo Multiplier Tube）、ＣＣＤ、及びＣＭＯＳ素子からなる群より選ばれるいずれか１以上のエリア撮像素子から構成される、請求項１から１６のいずれか一項に記載の粒子分取装置。
【請求項１８】
前記光検出部では、前方散乱光、側方散乱光、レイリー散乱光、及びミー散乱光からなる群より選ばれるいずれか１以上の光を検出する、請求項１から１７のいずれか一項に記載の粒子分取装置。
【請求項１９】
マイクロチップ内に設けられた流路を通流する粒子に、前記流路の第一位置で第一光ビームを照射し、前記流路の第二位置で第二光ビームを照射する光照射部と、前記第一光ビームを照射することより前記粒子から発する第一の光と前記第二光ビームを照射することより前記粒子から発する第二の光を検出する光検出部と、前記流路と連通し、アクチュエータ駆動より圧力変化する圧力変化部を有する分取部と、を有する粒子分取装置と、
前記第一の光と前記第二の光の検出時間差に基づく前後の粒子が前記分取部に到達する時間差と、分取モードに基づいて、前記アクチュエータを制御する分取制御装置と、
を有する、粒子分析システム。
【請求項２０】
マイクロチップ内に設けられた流路を通流する粒子に、前記流路の第一位置で第一光ビームを照射し、前記流路の第二位置で第二光ビームを照射する光照射工程と、
前記第一光ビームを照射することより前記粒子から発する第一の光と前記第二光ビームを照射することより前記粒子から発する第二の光を検出する光検出工程と、
前記流路と連通し、アクチュエータ駆動より圧力変化する圧力変化部を有する分取部に基づく工程と、
前記第一の光と前記第二の光の検出時間差に基づく前後の粒子が前記分取部に到達する時間差と、分取モードに基づいて、前記アクチュエータを制御する分取制御工程と、
を行う、粒子分取方法。
【手続補正２】
【補正対象書類名】明細書
【補正対象項目名】発明の名称
【補正方法】変更
【補正の内容】
【発明の名称】粒子分取装置、粒子分取システム、及び粒子分取方法
【手続補正３】
【補正対象書類名】明細書
【補正対象項目名】００１０
【補正方法】変更
【補正の内容】
【００１０】
本開示に係る粒子分取装置は、マイクロチップ内に設けられた流路を通流する粒子に、前記流路の第一位置で第一光ビームを照射し、前記流路の第二位置で第二光ビームを照射する光照射部と、前記第一光ビームを照射することより前記粒子から発する第一の光と前記第二光ビームを照射することより前記粒子から発する第二の光を検出する光検出部と、前記流路と連通し、アクチュエータ駆動より圧力変化する圧力変化部を有する分取部と、前記第一の光と前記第二の光の検出時間差に基づく前後の粒子が前記分取部に到達する時間差と、分取モードに基づいて、前記アクチュエータを制御する分取制御部と、を有する。
前記第二光ビームは、前記第一光ビームと波長が同じであってよい。
前記圧力変化部は、前記マイクロチップ内に設けられていてよい。
前記アクチュエータは、前記粒子が分取対象であるか否かの判定結果に基づいて、分取対象である前記粒子と分取対象でない前記粒子の回収先を変更してよい。
前記分取部は、前記流路に連通する吸引流路と吸引部により構成されていてよい。
前記アクチュエータは、前記吸引部の体積を任意のタイミングで拡張可能であってよい。
前記変更は、前記吸引部の体積を拡張したことに基づいていてよい。
前記吸引部の体積を拡張したことより前記吸引部に負圧を生成してよい。
前記分取モードは、ユーザーにより選択可能であってよい。
前記分取モードは、純度を優先した純度優先モード、又は取得率を優先した取得率優先モードのいずれかであってよい。
前記第二光ビームは、前記第一光ビームと波長が異なっていてよい。
前記第一の光と前記第二の光の検出時間差から、前記粒子が前記分取部に到達する時間を算出する算出部、を更に有していてよい。
前記分取制御部は、前記光検出部で検出されたデータと、前記算出部で算出された前記時間に基づいて、前記アクチュエータを制御してよい。
前記算出部は、前記検出時間差から、前後の粒子が前記分取部に到達する到達時間差を算出してよい。
前記粒子は、生体関連粒子であってよい。
前記粒子を含むサンプル液が導入されるサンプル液導入流路と、シース液が導入される１対のシース液導入流路と、を更に有していてよい。
前記光検出部は、ＰＭＴ（Photo Multiplier Tube）、ＣＣＤ、及びＣＭＯＳ素子からなる群より選ばれるいずれか１以上のエリア撮像素子から構成されていてよい。
前記光検出部では、前方散乱光、側方散乱光、レイリー散乱光、及びミー散乱光からなる群より選ばれるいずれか１以上の光を検出してよい。
【手続補正４】
【補正対象書類名】明細書
【補正対象項目名】００１１
【補正方法】変更
【補正の内容】
【００１１】
本開示に係る粒子分取システムは、マイクロチップ内に設けられた流路を通流する粒子に、前記流路の第一位置で第一光ビームを照射し、前記流路の第二位置で第二光ビームを照射する光照射部と、前記第一光ビームを照射することより前記粒子から発する第一の光と前記第二光ビームを照射することより前記粒子から発する第二の光を検出する光検出部と、前記流路と連通し、アクチュエータ駆動より圧力変化する圧力変化部を有する分取部と、を有する粒子分取装置と、前記第一の光と前記第二の光の検出時間差に基づく前後の粒子が前記分取部に到達する時間差と、分取モードに基づいて、前記アクチュエータを制御する分取制御装置と、を有する。
また、本開示に係る粒子分取方法は、マイクロチップ内に設けられた流路を通流する粒子に、前記流路の第一位置で第一光ビームを照射し、前記流路の第二位置で第二光ビームを照射する光照射工程と、前記第一光ビームを照射することより前記粒子から発する第一の光と前記第二光ビームを照射することより前記粒子から発する第二の光を検出する光検出工程と、前記流路と連通し、アクチュエータ駆動より圧力変化する圧力変化部を有する分取部に基づく工程と、前記第一の光と前記第二の光の検出時間差に基づく前後の粒子が前記分取部に到達する時間差と、分取モードに基づいて、前記アクチュエータを制御する分取制御工程と、を行う。